(57)【特許請求の範囲】
【請求項１】
上辺に裏実部、下辺に表実部を備え、上下に配列される上下の矩形の外壁板相互を、上側の外壁板の下辺の表実部と、下側の外壁板の上辺の裏実部とを相じゃくりにより接合し、外壁板の下辺の表実部の背面に、相じゃくり接合される外壁板の裏実部の上面よりも上方に向かって延びる係止溝を備え、建物の躯体または胴縁などの外壁下地に留め付け金具を固定し、この留め付け金具を介して外壁板を、建物の躯体または外壁下地との間に通気空間を空けて建物の躯体または外壁下地に配列固定する外壁構造において、
前記留め付け金具は、建物の躯体または胴縁などの外壁下地の留め付け面にねじなどによって水平に留め付けられ、相じゃくり接合される上側の外壁板の背面下部と下側の外壁板の背面上部に対面する基板部と、この基板部の下縁から下側の外壁板の裏実部の背面に到達し、建物の躯体または外壁下地と外壁板との間に所定の通気空間を形成する間隔保持部と、この間隔保持部の表面側の端縁から上方に折れ曲がり、下側の外壁板の裏実部の背面に当接する下部当接部と、この下部当接部の上縁から表面側に折れ曲がり、下側の外壁板の裏実部の上面を経て、上側の外壁板の表実部の背面に向かって延びる突出部と、この突出部の表面側の先端縁から上側に向かって延び、上側の外壁板の表実部に設けられた係止溝に係合する、横方向に間隔を空けて設けられた複数の上側係合片と、この複数の上側係合片の間に設けられ、前記突出部の表面側の先端縁から下側に向かって延び、上側の外壁板の表実部の背面と下側の外壁板の裏実部の表面との間に位置する下側係合片とからなり、  前記横方向に間隔を空けて設けられた、留め付け金具の複数の上側係合片の上面に、上側の外壁板の表実部と下側の外壁板の裏実部との相じゃくり接合部に上方から流入する雨水を、外壁板と建物の躯体または外壁下地との間の通気空間に向けて排水する排水金具を装着したことを特徴とする外壁構造。
【請求項２】
前記排水金具は、下側の外壁板の裏実部の上面を経て、上側の外壁板の表実部の背面に向かって延びる突出部の上面に沿って設けられる水平板部と、この水平板部の表側の端縁から上方に向かって延び、上側の外壁板の表実部の背面に設けられた係止溝に嵌り、横方向に間隔を空けて設けられた留め付け金具の複数の上側係合片に上方から被せられる先端が表面側に屈曲するカバー部と、水平板部の背面側の端縁から留め付け金具の間隔保持部に向かって傾斜する庇部とからなることを特徴とする請求項１記載の外壁構造。
【請求項３】
前記留め付け金具の間隔保持部に排水孔を設けたことを特徴とする請求項１または２記載の外壁構造。
【請求項４】
前記留め付け金具の基板部に、上側の外壁板の背面に向かってＵ字形に屈曲し、先端部が上側の外壁板の背面下部に当接する補強部を設け、この補強部の外壁板側の先端に、横方向に所定間隔を空けて排水孔を設けたことを特徴とする請求項１〜３のいずれかに記載の外壁構造。
【発明の詳細な説明】
【技術分野】
【０００１】
この発明は、複数枚の矩形の外壁板を、建物の躯体または建物の外壁下地に、留め付け金具を使用して上下段に配列固定する外壁構造に関し、特に、外壁板の背面と建物の躯体または建物の外壁下地との間に留め付け金具によって通気空間が空くように配列固定する通気構法と呼ばれる外壁構造に関するものである。
【背景技術】
【０００２】
従来、表面にタイル調や石積調、あるいはレンガ調などさまざまな風合いの化粧を施した窯業系サイディングなどの矩形の外壁板が外壁材料として広く用いられている。
【０００３】
この種の矩形の外壁板を使用した外壁の施工方法の一つとして、建物の躯体または外壁下地に、留め付け金具を取り付け、この留め付け金具によって外壁板の背面と建物の躯体または外壁下地との間に通気空間が空くように配列固定する通気構法と呼ばれるものがある。
【０００４】
この通気構法に使用される外壁板１００は、図４に示すように、上辺に裏実部１０１、下辺に表実部１０２を備え、上下に配列される外壁板１００相互を、上側の外壁板１００の下辺の表実部１０２と、下側の外壁板１００の上辺の裏実部１０１とを相じゃくりにより接合することにより施工され、外壁板１００の下辺には、表実部１０２の背面に、相じゃくり接合される下側の外壁板１００の裏実部１０１の上面よりも上方に向かって延びる係止溝１０３が設けられている。
【０００５】
この種の通気構法と呼ばれる外壁施工方法に使用される留め付け金具２００として、従来、例えば、図４および図５に示すものがある（特許文献１）。
【０００６】
この留め付け金具２００は、横方向に長い長尺の折り曲げ金属板からなり、建物の躯体または胴縁などの外壁下地２の留め付け面に、ねじ３０１などによって相じゃくり接合される上側の外壁板１００と下側の外壁板１００の突合せ位置に水平に留め付けて使用される。
【０００７】
留め付け金具２００には、相じゃくり接合される上側の外壁板１００の背面下部および下側の外壁板１００の背面上部に対面し、建物の躯体または外壁下地の胴縁などの留め付け面３００に、ねじ３０１などによって固定される基板部２０１を備える。基板部２０１の上部には、横方向に等間隔でねじ孔３０２が等間隔で設けられている。
【０００８】
この基板部２０１の下縁には、下側の外壁板１００の裏実部１０１の背面側に向かって折れ曲がり、下側の外壁板１００の裏実部１０１の背面に到達し、建物の躯体または外壁下地の留め付け面３００と外壁板１００の背面との間に所定の通気空間４００を形成する間隔保持部２０２を備える。
【０００９】
この間隔保持部２０２の表面側の端縁には、上方に折れ曲がり、下側の外壁板１００の裏実部１０１の背面に当接する下部当接部２０３を備える。
【００１０】
この下部当接部２０３の上縁には、表面側に折れ曲がり、下側の外壁板１００の裏実部１０１の上面を経て、上側の外壁板１００の表実部１０２の背面に向かって延びる突出部２０４を備える。
【００１１】
この突出部２０４の表面側の先端縁には、上側に向かって延び、上側の外壁板１００の表実部１０２の背面に設けられた係止溝１０３に係合する上側係合片２０５が横方向に間隔を空けて複数設けられている。
【００１２】
また、前記突出部２０４の表面側の先端縁には、下側に向かって延び、上側の外壁板１００の表実部１０２の背面と下側の外壁板１００の裏実部の表面との間の対向面に挟まれる下側係合片２０６が横方向に複数設けられ、この下側係合片２０６は、横方向に間隔を空けて設けられた前記上側係合片２０５の間に位置し、上側係合片２０５と下側係合片２０６は横方向に交互に並んでいる。
【００１３】
また、前記基板部２０１の上端縁には、上側の外壁板１００の背面側に向かって延び、上側の外壁板１００の背面に当接する補強板部２０７が設けられ、補強板部２０７の先端には上側の外壁板１００の背面に当接する当接板部２０８が設けられている。
【００１４】
かかる構成の留め付け金具２００は、次のように使用される。
【００１５】
まず、相じゃくり接合される下側の外壁板１００の上辺の裏実部１０１の上端面の高さと、留め付け金具２００の突出部２０４の高さを合わせて、建物の躯体または外壁下地の留め付け面３００に、ねじ３０１などによって基板部２０１を水平に固定する。
【００１６】
次いで、下側の外壁板１００の上辺の裏実部１０１を、留め付け金具２００の下側係合片２０６、突出部２０４および下部当接部２０３によって形成される留め付け金具２００の下向きコ字形部分に嵌め入れると、下側の外壁板１００の上端が留め付け金具２００によって建物の躯体または外壁下地の留め付け面３００に固定される。
【００１７】
この後、上側の外壁板１００の下端背面を留め付け金具２００の当接板部２０８に沿わせながら、突出部２０４の表側の端縁に設けられた上側係合片２０５を、上側の外壁板１００の表実部１０２の背面に設けられた係止溝１０３に嵌め入れ、上側の外壁板１００の表実部１０２の背面の段部を突出部２０４の上面に突合わせると、上側の外壁板１００の下端の表実部１０２と下側の外壁板１００の上端の裏実部１０１とが相じゃくり接合される。
【先行技術文献】
【特許文献】
【００１８】
【特許文献１】特開２０１７−２４６１号公報
【発明の概要】
【発明が解決しようとする課題】
【００１９】
ところで、複数枚の矩形の外壁板１００を縦横に配列固定する外壁の施工形態としては、図６に示すように、上段に並ぶ外壁板１００の左右縁の縦目地１００Ａと、下段に並ぶ外壁板１００の左右縁の縦目地１００Ａが縦方向に一直線に揃うように配列される芋目地と呼ばれる施工形態と、図７に示すように、上段に並ぶ外壁板１００の左右縁の縦目地１００Ａと、下段に並ぶ外壁板１００の左右縁の縦目地１００Ａを縦方向にずらして配列し、上段に並ぶ外壁板の左右縁の縦目地１００Ａと、下段に並ぶ外壁板１００の横目地１００Ｂとが交差するように配列される馬目地と呼ばれる施工形態とがある。
【００２０】
また、馬目地と呼ばれる施工形態の変形例としては、図８に示すように、例えば、上段中段および下段の三段に外壁板１００を積み上げる場合に、中段の外壁板１００の横幅を、上段と下段に配列する外壁板１００の複数分の１（図８では４分の１）の細幅にする施工形態がある。この施工形態においては、中段の細幅の外壁板１００の左右縁の縦目地１００Ａは、複数枚ごとに上下段の広幅の外壁板１００の左右の縦目地と一直線に揃うが、中段に位置する細幅の外壁板１００の左右縁の縦目地は、上下段の外壁板の横目地１００Ｂと交差する。
【００２１】
複数枚の矩形の外壁板１００を縦横に配列固定する外壁構造の場合、左右の外壁板１００が突き合う両側縁の縦目地１００Ａ部分に沿って雨水が下方に流れる。
【００２２】
図６に示すような、芋目地と呼ばれる外壁の施工形態では、上段に並ぶ外壁板１００の左右縁の縦目地１００Ａと、下段に並ぶ外壁板の左右縁の縦目地１００Ａが縦方向に一直線に揃うように配列されているので、図６に矢印で示すように、縦目地１００Ａに流入した雨水は、縦目地１００Ａに沿って下方に排出されやすく、外壁の横目地１００Ｂには雨水が溜まり難い。
【００２３】
一方、図７および図８に示すような、馬目地と呼ばれる外壁の施工形態では、外壁板１００の左右の縦目地１００Ａと、下段の外壁板１００の左右の縦目地１００Ａとが一直線に揃わず、縦目地１００Ａと横目地１００Ｂとが交差する部分（鎖線の丸印部分）があるため、縦目地１００Ａに沿って流下した雨水が、図７および図８に矢印で示すように、縦目地１００Ａと横目地１００Ｂが交差する部分で横目地１００Ｂに沿って流入し、横目地１００Ｂに雨水が滞留し、外壁材の劣化が問題になる。
【００２４】
特に、図８に示すような、中段部分に細幅の外壁板１００を用いると、縦目地１００Ａと横目地１００Ｂとが交差する部分が多くなるので、横目地１００Ｂに雨水が滞留し易いという問題がある。
【００２５】
そこで、この発明は、上段の外壁板の左右の縦目地と、下段の外壁板の左右の縦目地とが一直線に揃わず、縦目地と横目地が交差する部分がある馬目地と呼ばれる外壁の施工形態においても、縦目地に流入した雨水が、横目地の方に流入し難く、下方に排出されやすい外壁構造を提供しようとするものである。
【課題を解決するための手段】
【００２６】
前記の課題を解決するために、この発明は、上辺に裏実部、下辺に表実部を備え、上下に配列される上下の矩形の外壁板相互を、上側の外壁板の下辺の表実部と、下側の外壁板の上辺の裏実部とを相じゃくりにより接合し、外壁板の下辺の表実部の背面に、相じゃくり接合される外壁板の裏実部の上面よりも上方に向かって延びる係止溝を備え、建物の躯体または胴縁などの外壁下地に留め付け金具を固定し、この留め付け金具を介して外壁板を、建物の躯体または外壁下地との間に通気空間を空けて建物の躯体または外壁下地に配列固定する外壁構造において、前記留め付け金具は、建物の躯体または胴縁などの外壁下地の留め付け面にねじなどによって水平に留め付けられ、相じゃくり接合される上側の外壁板の背面下部と下側の外壁板の背面上部に対面する基板部と、この基板部の下縁から下側の外壁板の裏実部の背面に到達し、建物の躯体または外壁下地と外壁板との間に所定の通気空間を形成する間隔保持部と、この間隔保持部の表面側の端縁から上方に折れ曲がり、下側の外壁板の裏実部の背面に当接する下部当接部と、この下部当接部の上縁から表面側に折れ曲がり、下側の外壁板の裏実部の上面を経て、上側の外壁板の表実部の背面に向かって延びる突出部と、この突出部の表面側の先端縁から上側に向かって延び、上側の外壁板の表実部に設けられた係止溝に係合する、横方向に間隔を空けて設けられた複数の上側係合片と、この複数の上側係合片の間に設けられ、前記突出部の表面側の先端縁から下側に向かって延び、上側の外壁板の表実部の背面と下側の外壁板の裏実部の表面との間に位置する下側係合片とからなり、前記横方向に間隔を空けて設けられた、留め付け金具の複数の上側係合片の上面に、上側の外壁板の表実部と下側の外壁板の裏実部との相じゃくり接合部に上方から流入する雨水を、外壁板と建物の躯体または外壁下地との間の通気空間に向けて排水する排水金具を装着したことを特徴とする。
【００２７】
そして、前記排水金具は、下側の外壁板の裏実部の上面を経て、上側の外壁板の表実部の背面に向かって延びる突出部の上面に沿って設けられる水平板部と、この水平板部の表側の端縁から上方に向かって延び、上側の外壁板の表実部の背面に設けられた係止溝に嵌り、横方向に間隔を空けて設けられた留め付け金具の複数の上側係合片に上方から被せられる先端が表面側に屈曲するカバー部と、水平板部の背面側の端縁から留め付け金具の間隔保持部に向かって傾斜する庇部とによって構成することができる。
【００２８】
前記留め付け金具の間隔保持部には、排水孔を設けている。
【００２９】
前記留め付け金具の基板部に、上側の外壁板の背面に向かってＵ字形に屈曲し、先端部が上側の外壁板の背面下部に当接する補強部を設け、この補強部の外壁板側の先端に、横方向に所定間隔を空けて排水孔を設けるようにしてもよい。
【発明の効果】
【００３０】
以上のように、この発明によれば、排水金具を、横方向に間隔を空けて設けられた留め付け金具の複数の上側係合片に対して上方から連続して被することにより、上側の外壁板の表実部と下側の外壁板の裏実部との相じゃくり接合部に上方から流入する雨水を、外壁板と建物の躯体または外壁下地との間の通気空間に排水することができるので、上段に並ぶ外壁板の左右縁の縦目地が、下段に並ぶ外壁板の横目地と交差する馬目地と呼ばれる外壁の施工形態であっても、縦目地と交差する横目地へ流入する雨水の量が抑制され、横目地に雨水が溜まり難くすることができる。
【図面の簡単な説明】
【００３１】
【図１】この発明に係る外壁構造の部分断面図である。
【図２】この発明に係る外壁構造に使用する排水金具と留め付け金具を分離した状態で留め付け金具に外壁板の上辺の裏実部を嵌め入れた状態を示す斜視図である。
【図３】この発明に係る外壁構造に使用する排水金具を留め付け金具に装着した状態で留め付け金具に外壁板の上辺の裏実部を嵌め入れた状態を示す斜視図である。
【図４】従来例に係る外壁構造の部分断面図である。
【図５】従来例に係る外壁構造に使用する留め付け金具を示す斜視図である。
【図６】芋目地と呼ばれる外壁板の配列例を示す模式図である。
【図７】馬目地と呼ばれる外壁板の配列例を示す模式図である。
【図８】馬目地と呼ばれる外壁板の変形配列例を示す模式図である。
【発明を実施するための形態】
【００３２】
以下、この発明の実施形態を添付図面に基づき具体的に説明する。
【００３３】
この発明に係る外壁構造に使用する外壁板１は、図１に示すように、表面にタイル調や石積調、あるいはレンガ調などさまざまな風合いの化粧が施された横長の矩形をなし、上辺に裏実部１Ａ、下辺に表実部１Ｂを備え、上側の外壁板１の下辺の表実部１Ｂと下側の外壁板１の上辺の裏実部１Ａとを相じゃくり接合することにより、上下の外壁板１相互が配列され、相じゃくり接合される上側の外壁板１の下辺の表実部１Ｂと下側の外壁板１の上辺の裏実部１Ａとの接合面には適宜コーキング剤１Ｃが打設される。
【００３４】
外壁板１は、建物の躯体または胴縁などの外壁下地２に、横方向に長い長尺の留め付け金具３を使用して配列固定され、留め付け金具３によって外壁板１の背面と建物の躯体または外壁下地２との間に通気空間４が空けられた通気構法と呼ばれる外壁構造を構成する。
【００３５】
前記外壁板１には、下辺の表実部１Ｂの背面に、相じゃくり接合される外壁板１の裏実部１Ａの上面よりも上方に向かって延びる係止溝１Ｄが設けられている。この係止溝１Ｄの背面側の面は、上側の外壁板１の表実部１Ｂを形成する段部１Ｅの下面に向かって広がる傾斜面に形成されている。
【００３６】
また、外壁板１の上辺の裏実部１Ａの表側の面も上方に向かって背面側に傾斜する傾斜面に形成されている。
【００３７】
この発明において使用する留め付け金具３は、外壁板１の横幅よりも横方向に長い長尺の折り曲げ金属板からなり、建物の躯体または胴縁などの外壁下地２の留め付け面に、釘５などによって相じゃくり接合される上側の外壁板１と下側の外壁板１の突合せ位置に水平に設置される。
【００３８】
留め付け金具３には、相じゃくり接合される上側の外壁板１の背面下部および下側の外壁板１の背面上部に対面し、建物の躯体または胴縁などの外壁下地２の留め付け面に、釘５などによって固定される基板部３１を備える。基板部３１の上部には、横方向に等間隔でねじ孔３２が等間隔で設けられている。
【００３９】
この基板部３１の下縁には、下側の外壁板１の裏実部１Ａの背面側に向かって折れ曲がり、下側の外壁板１の裏実部１Ａの背面に到達し、建物の躯体または外壁下地２の留め付け面と外壁板１の背面との間に所定の通気空間４を形成する間隔保持部３３を備え、この間隔保持部３３に排水孔３５を設けている。
【００４０】
前記基板部３１の上下方向の中間部分には、上側の外壁板１の背面に向かってＵ字形に屈曲し、先端部が上側の外壁板の背面下部に当接する補強部３４が設けられ、この補強部３４の外壁板１側の先端に、横方向に所定間隔を空けて排水孔３６を設けている。
【００４１】
前記間隔保持部３３の表面側の端縁には、上方に折れ曲がり、下側の外壁板１の裏実部１Ａの背面に当接する下部当接部３７を備える。
【００４２】
この下部当接部３７の上縁には、表面側に折れ曲がり、下側の外壁板１の裏実部１Ａの上面を経て、上側の外壁板１の表実部１Ｂの背面に向かって延びる突出部３８を備える。
【００４３】
この突出部３８の表面側の先端縁には、上側に向かって延び、上側の外壁板１の表実部１Ｂの背面に設けられた係止溝１Ｄに係合する上側係合片３９が横方向に間隔を空けて複数設けられている。
【００４４】
また、前記突出部３８の表面側の先端縁には、下側に向かって延び、上側の外壁板１の表実部１Ｂの背面と下側の外壁板１の裏実部１Ａの表面との間の対向面に挟まれる、下側係合片４０が、横方向に間隔を空けて設けられた前記上側係合片３９の間に位置するように複数設けられている。
【００４５】
この発明において使用する留め付け金具３には、外壁板１の左右の縦目地から浸入した雨水を、図１に破線の矢印で示すように、外壁板１と建物の躯体または外壁下地２との間の通気空間４に排水する排水金具４１が装着されている。この排水金具４１を留め付け金具３に装着することにより、上段に並ぶ外壁板１の左右縁の縦目地が、下段に並ぶ外壁板１の横目地と交差する馬目地と呼ばれる外壁の施工形態であっても、外壁板１の左右縁の縦目地から流下する雨水は、排水金具４１に沿って外壁板１と建物の躯体または外壁下地２との間の通気空間４に排水されるので、縦目地と交差する横目地へ流入する雨水の量が抑制され、横目地に雨水が溜まり難い。
【００４６】
排水金具４１は、横方向に間隔を空けて設けられた留め付け金具３の複数の上側係合片３９に対して上方から連続して被せられ、上側の外壁板１の表実部１Ｂと下側の外壁板１の裏実部１Ａとの相じゃくり接合部に上方から流入する雨水を、外壁板１と建物の躯体または外壁下地２との間の通気空間４に排水するものであり、下側の外壁板１の裏実部１Ａの上面を経て、上側の外壁板１の表実部１Ｂの背面に向かって延びる突出部３８の上面に沿って設けられる水平板部４２と、この水平板部４２の表側の端縁から上方に向かって延び、上側の外壁板１の表実部１Ｂの背面に設けられた係止溝１Ｄに嵌り、横方向に間隔を空けて設けられた留め付け金具３の複数の上側係合片３９に上方から被せられる先端が表面側に屈曲するカバー部４３と、水平板部４２の背面側の端縁から留め付け金具３の間隔保持部３３に向かって傾斜する庇部４４とからなる。
【００４７】
前記留め付け金具３の間隔保持部３３と、基板部３１の上下方向の中間部分に設けられた補強部３４には、前記のように、それぞれ排水孔３５、３６が設けられ、排水金具４１によって通気空間４に導いた雨水を下方に排水できるようにしている。
【００４８】
この発明の留め付け金具３と排水金具４１は、次のように使用される。
【００４９】
まず、図２に示すように、排水金具４１と留め付け金具３を分離した状態で、留め付け金具３を、相じゃくり接合される下側の外壁板１の上辺の裏実部１Ａの上端面の高さと、留め付け金具３の突出部３８の高さを合わせて、建物の躯体または外壁下地２の留め付け面に、図１に示すように、ねじ５などによって基板部３１を水平に固定する。
【００５０】
次いで、下側の外壁板１の上辺の裏実部１Ａを、留め付け金具３の下側係合片４０、突出部３８および下部当接部３７によって形成される留め付け金具３の下向きコ字形部分に嵌め入れると、下側の外壁板１の上端が留め付け金具３によって建物の躯体または外壁下地２の留め付け面に固定される。
【００５１】
この後、図２の白抜き矢印で示すように、留め付け金具３の突出部３８の表側の端縁に、横方向に間隔を空けて設けられた複数の上側係合片３９に、排水金具４１のカバー部４３を被せて、図３に示すように、留め付け金具３の突出部３８と排水金具４１の水平板部４２とが重なり、排水金具４１の庇部４４が留め付け金具３の間隔保持部３３の上方に位置するように、排水金具４１を装着する。
【００５２】
排水金具４１は、下側の外壁板１の上辺の裏実部１Ａを、留め付け金具３の下側係合片４０、突出部３８および下部当接部３７によって形成される留め付け金具３の下向きコ字形部分に嵌め入れる前に、留め付け金具３に装着するようにしてもよい。
【００５３】
留め付け金具３に排水金具４１を装着した後、上側の外壁板１の下端背面を留め付け金具３の補強部３４の先端に沿わせながら、突出部３８の表側の端縁に設けられた上側係合片３９と、この上側係合片３９に被せられた排水金具４１のカバー部４３とを、上側の外壁板１の表実部１Ｂの背面に設けられた係止溝１Ｄに嵌め入れ、上側の外壁板１の表実部１Ｂの背面の段部１Ｅを、排水金具４１の水平板部４２と留め付け金具３の突出部３８とを挟んで、下側の外壁板１の裏実部１Ａの上面に突合わせると、上側の外壁板１の下端の表実部１Ｂと下側の外壁板１の上端の裏実部１Ａとが相じゃくり接合される。
【００５４】
以上のように、排水金具４１を、横方向に間隔を空けて設けられた留め付け金具３の複数の上側係合片３９に対して上方から連続して被すように、留め付け金具３に装着することにより、上側の外壁板１の表実部１Ｂと下側の外壁板１の裏実部１Ａとの相じゃくり接合部に上方から流入する雨水が、外壁板１と建物の躯体または外壁下地２との間の通気空間４に排水されるので、上段に並ぶ外壁板１の左右縁の縦目地が、下段に並ぶ外壁板１の横目地と交差する馬目地と呼ばれる外壁の施工形態であっても、縦目地と交差する横目地へ流入する雨水の量が抑制され、横目地に雨水が溜まり難くなる。
【符号の説明】
【００５５】
１        ：外壁板
１Ａ      ：裏実部
１Ｂ      ：表実部
１Ｃ      ：コーキング剤
１Ｄ      ：係止溝
１Ｅ      ：段部
２        ：外壁下地
３        ：留め付け金具
４        ：通気空間
５        ：ねじ
３１      ：基板部
３２      ：ねじ孔
３３      ：間隔保持部
３４      ：補強部
３５      ：排水孔
３６      ：排水孔
３７      ：下部当接部
３８      ：突出部
３９      ：上側係合片
４０      ：下側係合片
４１      ：排水金具
４２      ：水平板部
４３      ：カバー部
４４      ：庇部
【要約】
【課題】  上段の外壁板の左右の縦目地と、下段の外壁板の左右の縦目地とが一直線に揃わず、縦目地と横目地が交差する部分がある馬目地と呼ばれる外壁の施工形態においても、縦目地に流入した雨水が、横目地の方に流入し難く、外壁板の背面の通気空間を使用して下方に排出されやすい外壁構造を提供する。
【解決手段】  外壁板の下辺の表実部の背面に、相じゃくり接合される外壁板の裏実部の上面よりも上方に向かって延びる係止溝を備え、建物の躯体または胴縁などの外壁下地に留め付け金具を固定し、この留め付け金具の複数の上側係合片の上面に、上側の外壁板の表実部と下側の外壁板の裏実部との相じゃくり接合部に上方から流入する雨水を、外壁板と建物の躯体または外壁下地との間の通気空間に向けて排水する排水金具を装着したことを特徴とする。
【選択図】図１【図１】
0006802939.tif 000002
【図２】
0006802939.tif 000003
【図３】
0006802939.tif 000004
【図４】
0006802939.tif 000005
【図５】
0006802939.tif 000006
【図６】
0006802939.tif 000007
【図７】
0006802939.tif 000008
【図８】
0006802939.tif 000009